(57)【要約】【課題】複数の遺体を非凍結状態で保存することが可能な複数遺体保存装置を提供する。【解決手段】外部環境から断熱された庫内空間を画定する遺体収納庫１０と、遺体収納庫１０内に設けられた、それぞれに遺体を載置可能な複数段の棚部を有する遺体載置用ラック２０Ａ〜２０Ｆと、庫内空間に冷気を循環させて庫内空間の温度を−５℃から０℃の範囲内の設定温度に制御する冷却ユニット７０と、庫内空間に設置される静電気放出手段８１から庫内空間に静電気を放出して庫内空間に電場を形成する空間電位発生手段と、庫内空間において細菌および臭気を減少させる除菌・脱臭手段８５とを備える。【選択図】図２
2019024874.tif 000002
【特許請求の範囲】
【請求項１】
外部環境から断熱された庫内空間を画定する遺体収納庫と、
前記遺体収納庫内に設けられた、それぞれに遺体を載置可能な複数段の棚部を有する遺体載置用ラックと、
前記庫内空間に冷気を循環させて前記庫内空間の温度をマイナスの設定温度に制御する庫内温度制御手段と、
前記庫内空間に静電気を放出して前記庫内空間に電場を形成する空間電位発生手段と、を備えて構成されることを特徴とする複数遺体保存装置。
【請求項２】
前記遺体載置用ラックは、前記遺体収納庫内に複数設けられることを特徴とする請求項１に記載の複数遺体保存装置。
【請求項３】
前記遺体載置用ラックは、前記遺体収納庫内を少なくとも一方向に移動可能に構成されていることを特徴とする請求項１もしくは２に記載の複数遺体保存装置。
【請求項４】
前記棚部は、回転可能な遺体載置用の複数のローラ部材を有し、当該複数のローラ部材を介して遺体を支持する構成とされていることを特徴とする請求項１〜３のいずれかに記載の複数遺体保存装置。
【請求項５】
車輪付きの基部と、前記基部に対して昇降可能な昇降部とを有し、前記昇降部に遺体を載置して運搬可能に構成された移動架台を備えたことを特徴とする請求項１〜４のいずれかに記載の複数遺体保存装置。
【請求項６】
前記昇降部は、回転可能な遺体載置用の複数のローラ部材を有し、当該複数のローラ部材を介して遺体を支持する構成とされていることを特徴とする請求項５に記載の複数遺体保存装置。
【請求項７】
前記遺体載置用ラックは、前記遺体収納庫内に設置された軌道上に複数並んで配置され、前記軌道上に並ぶ所定数の遺体載置用ラックは、前記軌道上をそれぞれ独立して移動可能に、かつ、前記軌道上におけるそれぞれの間隔を変えることにより、遺体を運ぶ対象となる遺体載置用ラックの隣に、前記移動架台を横付けすることが可能なスペースを形成可能に構成されていることを特徴とする請求項５もしくは６に記載の複数遺体保存装置。
【請求項８】
前記庫内空間において細菌および臭気を減少させる殺菌・脱臭手段を備えていることを特徴とする請求項１〜７のいずれかに記載の複数遺体保存装置。
【請求項９】
前記設定温度は、−５℃から０℃の範囲内の温度であることを特徴とする請求項１〜８のいずれかに記載の複数遺体保存装置。
【発明の詳細な説明】
【技術分野】
【０００１】
本発明は、複数の遺体を保存するための複数遺体保存装置に関する。
【背景技術】
【０００２】
遺体の保存方法としては、棺（棺桶）に納められた遺体の周囲にドライアイスを置いて遺体を冷却保存する方法が一般的である。近年、特に都市部において火葬施設が混雑し、そのため遺体の保存期間が長期化する傾向にあるが、ドライアイスを用いる方法は、所定量のドライアイスを毎日補充する必要があるので、保存期間が長期化するとコストが大きく嵩んでしまう。また、火葬する際に棺内に残っていたドライアイスから発生する二酸化炭素によって火葬炉が腐食するという問題や、ドライアイスによって低温燃焼状態となりダイオキシンが発生するという問題も指摘されている。
【０００３】
ドライアイスを用いない遺体保存方法として、冷凍装置により遺体を冷凍保存する方法が知られている。この方法は、遺体を長期保存することが可能であるが、凍結した遺体を葬儀の前に解凍する作業が必要となるので作業工程が複雑となり、また解凍する際に遺体が損傷する虞もある。これらの従来手法に替わる遺体保存方法として近年、遺体をマイナスの温度環境下に置きながら、遺体周囲の空間に電場を形成することにより、遺体を凍結しない状態（以下「氷点下非凍結状態」とも称する）で保存する技術が提案されている（例えば、下記特許文献１，２を参照）。
【先行技術文献】
【特許文献】
【０００４】
【特許文献１】特開２０１６−８７０５４号公報
【特許文献２】特開２０１５−１７３９０８号公報
【発明の概要】
【発明が解決しようとする課題】
【０００５】
上記特許文献１，２に記載された遺体保存手法は、１つの遺体を非凍結状態で保存する技術に関するものであるが、１箇所において複数の遺体を同時に非凍結状態で保存したいという要望もある。
【０００６】
本発明はこのような事情に鑑みてなされたものであり、複数の遺体を非凍結状態で保存することが可能な複数遺体保存装置を提供することを目的とする。
【課題を解決するための手段】
【０００７】
上記目的を達成するため、本発明に係る複数遺体保存装置は、外部環境から断熱された庫内空間を画定する遺体収納庫と、前記遺体収納庫内に設けられた、それぞれに遺体を載置可能な複数段の棚部を有する遺体載置用ラックと、前記庫内空間に冷気を循環させて前記庫内空間の温度をマイナスの設定温度に制御する庫内温度制御手段と、前記庫内空間に静電気を放出して前記庫内空間に電場を形成する空間電位発生手段と、を備えて構成される。
【０００８】
上記構成の複数遺体保存装置において、前記遺体載置用ラックは、前記遺体収納庫内に複数設けられることが好ましい。
【０００９】
上記構成の複数遺体保存装置において、前記遺体載置用ラックは、前記遺体収納庫内を少なくとも一方向に移動可能に構成されていることが好ましい。
【００１０】
上記構成の複数遺体保存装置において、前記棚部は、回転可能な遺体載置用の複数のローラ部材を有し、当該複数のローラ部材を介して遺体を支持する構成とされていることが好ましい。
【００１１】
上記構成の複数遺体保存装置において、車輪付きの基部と、前記基部に対して昇降可能な昇降部とを有し、前記昇降部に遺体を載置して運搬可能に構成された移動架台を備えることが好ましい。
【００１２】
上記構成の複数遺体保存装置において、前記昇降部は、回転可能な遺体載置用の複数のローラ部材を有し、当該複数のローラ部材を介して遺体を支持する構成とされていることが好ましい。
【００１３】
上記構成の複数遺体保存装置において、前記遺体載置用ラックは、前記遺体収納庫内に設置された軌道上に複数並んで配置され、前記軌道上に並ぶ所定数の遺体載置用ラックは、前記軌道上をそれぞれ独立して移動可能に、かつ、前記軌道上におけるそれぞれの間隔を変えることにより、遺体を運ぶ対象となる遺体載置用ラックの隣に、前記移動架台を横付けすることが可能なスペースを形成可能に構成されていることが好ましい。
【００１４】
上記構成の複数遺体保存装置において、前記庫内空間において細菌および臭気を減少させる除菌・脱臭手段を備えていることが好ましい。
【００１５】
また、上記構成の複数遺体保存装置において、前記設定温度は、−５℃から０℃の範囲内の温度であることが好ましい。
【発明の効果】
【００１６】
本発明に係る複数遺体保存装置によれば、複数段の棚部のそれぞれに遺体を載置可能な遺体載置用ラックが設けられた、外部環境から断熱された庫内空間に、冷気を循環させて庫内空間の温度をマイナスの設定温度に制御する構成であり、このとき、庫内空間に静電気を放出して庫内空間に電場を形成するので、複数の遺体をマイナスの温度環境下で冷却しながらもそれぞれの遺体を非凍結状態（氷点下非凍結状態）で保存することができる。
【００１７】
上記構成の複数遺体保存装置において、遺体収納庫内に複数の遺体載置用ラックが設けられる構成とすれば、遺体載置用ラックが１つしかない場合と比較してより多くの遺体を、非凍結状態で保存することが可能となる。
【００１８】
上記構成の複数遺体保存装置において、遺体載置用ラックが遺体収納庫内を少なくとも一方向に移動可能な構成とすれば、遺体載置用ラックを移動させることによって、遺体載置用ラックに対して遺体を出し入れするための作業スペースを適宜の位置に確保することができるので、遺体載置用ラックに対する遺体の出し入れ作業を効率良く行うことが可能となる。
【００１９】
上記構成の複数遺体保存装置において、遺体載置用ラックの棚部が、回転可能な遺体載置用の複数のローラ部材を介して遺体を支持する構成とすれば、棚部に対して遺体の出し入れを行う際に、ローラ部材上に載置された遺体をローラ部材の回転によって軽い力で移動させることができるので、遺体の出し入れ作業を容易に行うことが可能となる。
【００２０】
上記構成の複数遺体保存装置において、遺体が載置される昇降部を有する移動架台を備えた構成とすれば、移動架台により、遺体収納庫の内部または外部において遺体を容易に運搬することが可能となる。また、移動架台の昇降部を昇降させることにより、昇降部の
高さと遺体載置用ラックの棚部の高さとを揃えることができるので、棚部と昇降部との間での遺体の受け渡し作業を効率良く行うことが可能となる。
【００２１】
上記構成の複数遺体保存装置において、移動架台の昇降部が、回転可能な遺体載置用の複数のローラ部材を介して遺体を支持する構成とすれば、昇降部に対して遺体の出し入れを行う際に、ローラ部材上に載置された遺体をローラ部材の回転によって軽い力で移動させることができるので、遺体の出し入れ作業を容易に行うことが可能となる。
【００２２】
上記構成の複数遺体保存装置において、軌道上にそれぞれ独立して移動可能に並ぶ所定数の遺体載置用ラックのそれぞれの間隔を変えることにより、遺体を運ぶ対象となる遺体載置用ラックの隣に、移動架台を横付けすることが可能なスペースが形成される構成とすれば、遺体を運ぶ対象となる遺体載置用ラックの隣に移動架台を横付けして、遺体載置用ラックと移動架台との間での遺体の受け渡し作業を行うことができるので、遺体の受け渡し作業をスムーズに行うことが可能となる。
【００２３】
上記構成の複数遺体保存装置において、設定温度を−５℃から０℃の範囲内の温度とする構成とすれば、設定温度を−５℃よりも低くした場合に比較して、遺体をより良好に非凍結状態で保存することが可能となる。
【００２４】
上記構成の複数遺体保存装置において、庫内空間において細菌および臭気を減少させる除菌・脱臭手段を備えた構成とすれば、庫内空間における細菌および臭気の増加を抑えることが可能となる。
【図面の簡単な説明】
【００２５】
【図１】本発明の一実施形態に係る複数遺体保存装置の外観を示す斜視図である。
【図２】上記複数遺体保存装置の内部を、遺体収納庫を水平方向に切断して示す平断面図である。
【図３】上記複数遺体保存装置の内部を、遺体収納庫を縦方向に切断して示す立断面図である。
【図４】上記遺体収納庫内に設置された遺体載置用ラックの平面図である。
【図５】上記遺体載置用ラックの左側面図である。
【図６】上記複数遺体保存装置における遺体搬送用の移動架台の正面図である。
【図７】上記移動架台の平面図である。
【図８】上記複数遺体保存装置における遺体載置トレイの平面図である。
【発明を実施するための形態】
【００２６】
以下、本発明の一実施形態に係る複数遺体保存装置１について、上記図面を参照しながら説明する。本実施形態の複数遺体保存装置１は、図１〜図３に示すように、建物内に設置される、矩形箱状に形成された遺体収納庫１０と、遺体収納庫１０内に設置された複数（本例では６個）の遺体載置用ラック２０Ａ〜２０Ｆとを備えている。まず、これらの全体的な構成について説明する。
【００２７】
遺体収納庫１０は、前壁部１１、左側壁部１２、後壁部１３、右側壁部１４、天井部１５及び床部１６を備えて構成され、外部環境から断熱された庫内空間を画成する。前壁部１１には、複数（本例では２個としていが、設置数は適宜変更可）の開口部１１１，１１２が設けられており、それぞれの開口部１１１，１１２には、開口部開閉用の扉１１３，１１４が設置されている。図示した例では扉１１３，１１４が、開口部１１１，１１２の外側に設置した引き戸タイプのものとなっているが、扉のタイプは適宜変更可能である。例えば、開口部１１１，１１２の内側に設置した引き戸タイプ（引違い戸タイプでも可）のものでもよいし、外開きまたは内開きの開き戸タイプ（片開きタイプでも両開きタイプ
でも可）のものでもよいし、折り戸タイプのものでもよい。また、手動式扉でもよいし、自動式扉でもよい。なお、扉１１３，１１４を支持するガイドレール等の図示は省略している。また、開口部１１１，１１２の前面下部には、遺体収納庫１０が設置される建物の床面と遺体収納庫１０内の床部１６との段差を無くすためのスロープ部１１５，１１６がそれぞれ設置されている。
【００２８】
前壁部１１、左側壁部１２、後壁部１３、右側壁部１４、天井部１５は、それぞれ、複数の矩形板状のパネル部材を組合せて構成されている。各パネル部材は、２枚の金属板（例えば、外面側を電気亜鉛メッキ鋼板により形成し、内面側をステンレス鋼板により形成するが、アルミニウム等の他の金属製パネルや木製パネル等により形成してもよい）の間に、断熱層部（例えば、発泡スチロールにより形成するが、グラスウールやポリスチレンフォーム等の他の断熱材により形成してもよい）を挟み込んで形成されており、断熱性および強度に優れた構造となっている。床部１６は、図３に示すように、ベース層部１６ａと上層部１６ｂとを備えて構成されている。ベース層部１６ａは、前壁部１１等と同様のパネル部材により構成され、上層部１６ｂは、ベース層部１６ａを構成するパネル部材とは別のパネル部材を複数組合せて構成されている。なお、扉１１３，１１４も、前壁部１１等と同様のパネル部材を用いて構成することが可能であるが、断熱性を有する、別の構成のものとしてもよい。
【００２９】
図２に示すように、遺体収納庫１０内の床部１６には、遺体収納庫１０の長手方向（図中左右方向）に沿って直線的に、互いに平行に延びる２本の軌道部４１Ａ，４１Ｂが設けられている。軌道部４１Ａ，４１Ｂは、図３に示すようにそれぞれ、床部１６の上層部１６ｂに形成された溝部４２と、溝部４２内に設置されたレール部材４３とを備えて構成されている。また、レール部材４３は、その上面が、床部１６の上層部１６ｂの上面と同じ高さとなるように構成されている。
【００３０】
図２に示すように、遺体収納庫１０内には、６個の遺体載置用ラック２０Ａ〜２０Ｆが設置されている。遺体載置用ラック２０Ａ〜２０Ｆは、いずれも同等に構成されているので、ここでは、遺体載置用ラック２０Ａを例にとって、その構成について説明する。図３〜図５に示すように、遺体載置用ラック２０Ａは、その四隅に配置された４本の柱部２１ａ〜２１ｄと、各柱部２１ａ〜２１ｄに固定された、ラック基部２２と３段の棚部２３Ａ〜２３Ｃとを備えている。ラック基部２２は、２本の柱部２１ａ，２１ｂの間と、２本の柱部２１ｃ，２１ｄの間に、それぞれ架設された２本の長手方向梁部２４，２４（図３に一方のみ図示）と、２本の長手方向梁部２４，２４の間に架設された２本の短手方向梁部２５，２５（図５に一方のみ図示）とを備え、各短手方向梁部２５の下面部には、（図５の紙面と垂直な回転軸の回りに）回転自在に支持された車輪２６（適宜ストッパ機構が設けられる）が、２個ずつ（ラック基部２２に計４個）設けられている。
【００３１】
図４に示すように、棚部２３Ａ（棚部２３Ｂ，２３Ｃも同様に構成される）は、２本の柱部２１ａ，２１ｂの間と２本の柱部２１ｃ，２１ｄの間にそれぞれ架設された２本の長手方向梁部２７ａ，２７ｂと、２本の柱部２１ａ，２１ｄの間と２本の柱部２１ｂ，２１ｃの間にそれぞれ架設された２本の短手方向梁部２８ａ，２８ｂと、２本の長手方向梁部２７ａ，２７ｂの間に架設された２本の中間梁部２９ａ，２９ｂと、を備えて構成されている。また、短手方向梁部２８ａと中間梁部２９ａとの間と、短手方向梁部２８ｂと中間梁部２９ｂとの間には、（図５の紙面と垂直な回転軸の回りに）回転自在に支持された複数個（本例では４個）の遺体載置用のローラ部材３０がそれぞれ設けられている。さらに、長手方向梁部２７ａ，２７ｂには、ピン状に形成されたストッパ部材３１が、２個ずつ設けられている。このストッパ部材３１は、取り外し可能に構成されており、棚部２３Ａ上に遺体が載置された状態で取付けられることにより、遺体が棚部２３Ａ上から落下することを防止する機能を有している。
【００３２】
３段の棚部２３Ａ〜２３Ｃは、それぞれ、遺体を載置することが可能な大きさに構成されている。遺体は、棺ＣＫ（図３を参照）内に収納（納棺）された状態、または、遺体載置トレイＴＲに寝具等を介して載置された状態で、各棚部２３Ａ〜２３Ｃ上に載置、収納されるようになっており、各棚部２３Ａ〜２３Ｃの高さ、及び、上段の棚部２３Ａと天井部１５との間の距離は、そのような状態の遺体を収納可能な寸法に設定されている。棺ＣＫまたは遺体載置トレイＴＲは、各ローラ部材３０に支持された状態で棚部２３Ａ〜２３Ｃ上に載置される。このため、遺体を載せた状態でも、ローラ部材３０の回転方向（各棚部２３Ａ〜２３Ｃの短手方向）に、軽い力で移動させることが可能となっている。
【００３３】
各棚部２３Ａ〜２３Ｃに載置される棺ＣＫは、葬儀等で使われる種々のタイプのものを用いることが可能であるが、特に背の高い棺ＣＫの場合には、高さに余裕のある上段の棚部２３Ａに載置するようにしてもよい。遺体載置トレイＴＲは、図８に示すように、矩形板状のベース板部６１と、ベース板部６１の周縁部から上方斜めに延び出た縁板部６２ａ〜６２ｄとを備えて構成され、縁板部６２ａ，６２ｃには、遺体載置トレイＴＲを移動させる際に作業者が手を掛けるための取手部６３が設けられている。
【００３４】
図３に示すように、上段の棚部２３Ａの下面部と、中段の棚部２３Ａの下面部には、医療用の殺菌灯３２が適宜設置される。この殺菌灯３２は、紫外線を遺体に照射するものであり、大腸菌、腸チフス菌、赤痢菌、ブドウ球菌、枯草菌、結核菌等の殺菌に優れた効果を発揮する。本実施形態では、６個の遺体載置用ラック２０Ａ〜２０Ｆのうち、２個の遺体載置用ラック２０Ａ，２０Ｆに、殺菌灯３２を設けているが、他の遺体載置用ラック２０Ｂ〜２０Ｅにも殺菌灯３２を設けてもよい。また、上段の棚部２３Ａに載置された遺体用の殺菌灯３２を、天井部１５の下面（庫内側の面）側に適宜設けてもよい。なお、天井部１５の下面側には、遺体収納庫１０内を照明するための庫内灯が適宜設置されるが、それらの図示は省略している。また、各遺体載置用ラック２０Ａ〜２０Ｆの各棚部２３Ａ〜２３Ｃには、載置された遺体の氏名等を記載するためのプレート部材（図示略）が適宜設置される。殺菌灯３２は、１〜２分間程度の照射で十分な殺菌効果を発揮するものであり、強い紫外線を出力する。このため、殺菌灯３２が点灯している間は、遺体収納庫１０内に作業者等が立ち入らないことが好ましい。そこで、本実施形態では、６本の各殺菌灯をオンオフ（点灯・消灯）するためのスイッチ（計６個、図示略）を、遺体収納庫１０の外部（本実施形態では、前壁部１１とするが適宜変更可）に設けたスイッチボックス３５（図１を参照）内に設け、遺体収納庫１０に立ち入ることなく、各殺菌灯をオンオフすることができるように構成している。なお、スイッチボックス３５内には、庫内照明用の庫内灯をオンオフするためのスイッチ（図示略）も設けられている。
【００３５】
遺体収納庫１０に対する遺体の搬入・搬出、及び各棚部２３Ａ〜２３Ｃに対する遺体の出し入れは、図６，図７に示す遺体搬送用の移動架台５０を用いて行われる。図６に示すように移動架台５０は、４個の車輪５４（図６では２個のみ図示）が取付けられた基部５１（車輪５４には適宜ストッパ機構が設けられる）と、基部５１に対して昇降可能な昇降部５２と、基部５１と昇降部５２との間に設けられ、昇降部５２の昇降に応じて変位する筋交い部５３とを主体として構成される。移動架台５０には、油圧ポンプや油圧シリンダ、油圧ホース等により構成される油圧機構（図示略）が搭載されており、この油圧機構による油圧力によって、昇降部５２を所定の高さまで昇降させ、その位置で保持することが可能となっている。また、移動架台５０は、車輪５４を備えたことにより、種々の場所に自在に移動できるように構成されている。
【００３６】
昇降部５２は、図７に示すように、矩形枠状に形成された外縁フレーム部５５と、外縁フレーム部５５の内側においてその短手方向に架設された４本の梁部５６ａ〜５６ｄとを備えて構成されている。梁部５６ａ，５６ｂの間と、梁部５６ｃ，５６ｄの間には、昇降
部５２の長手方向に延びる回転軸の回りに回転自在に支持された複数個（本例では４個）の遺体載置用のローラ部材５７がそれぞれ設けられている。昇降部５２には、棺ＣＫ（図３を参照）内に収納された状態、または、遺体載置トレイＴＲ（図２を参照）に寝具等を介して載置された状態で、遺体が載置されるようになっている。棺ＣＫまたは遺体載置トレイＴＲは、各ローラ部材５７に支持された状態で昇降部５２上に載置される。このため、遺体を載せた状態でも、ローラ部材５７の回転方向（昇降部５２の短手方向）に、軽い力で移動させることが可能となっている。また、昇降部５２の外縁フレーム部５５には、４個の柵部材５８が設けられている。この柵部材５８は、取り外し可能に構成されており、昇降部５２上に遺体が載置された状態で取付けられることにより、遺体が昇降部５２上から落下することを防止する機能を有している。
【００３７】
図２に示すように、遺体収納庫１０内において、６個の遺体載置用ラック２０Ａ〜２０Ｆは、並列状態で一列に並んで２本の軌道部４１Ａ，４１Ｂ上に設置されている。遺体載置用ラック２０Ａ〜２０Ｆは、図３に示すように、それぞれのラック基部２２に設けられた各車輪２６が、軌道部４１Ａ，４１Ｂのレール部材４３に載る（各車輪２６は、レール部材４３から外れ難い形状に形成されている）ように設置されており、それぞれが独立して、軌道部４１Ａ，４１Ｂ上を、遺体収納庫１０の長手方向に沿って移動可能に構成されている（両端の遺体載置用ラック２０Ａ，２０Ｆは、図２に示す位置に固定しておいてもよい）。
【００３８】
２本の軌道部４１Ａ，４１Ｂの長さは、６個の遺体載置用ラック２０Ａ〜２０Ｆの各短手方向の長さを足し合わせた長さよりも、移動架台５０の横幅の２倍程度、長くなるように設定されている。そのため、幾つかの遺体載置用ラックを左側壁部１２側に寄せ、残りの遺体載置用ラックを右側壁部１４側に寄せることにより、両者の間に、移動架台５０を横付けして設置することが可能で、かつ、遺体載置用ラックと移動架台５０との間での遺体の受け渡し作業を行うことが可能な作業スペースＳＰを確保できるように構成されている。図２では、遺体載置用ラック２０Ｂと２０Ｃとの間に作業スペースＳＰが形成された例を示しているが、各遺体載置用ラック２０Ａ〜２０Ｆの軌道部４１Ａ，４１Ｂ上での位置（間隔）を適宜変えることにより、任意の遺体載置用ラックの隣に、このような作業スペースＳＰを確保することが可能となっている。
【００３９】
遺体載置用ラック２０Ａ〜２０Ｆへの遺体の収納、及び、遺体載置用ラック２０Ａ〜２０Ｆからの遺体の搬出は、基本的には、移動架台５０を用いて行われる。ここで、その手順について簡単に説明する。まず、遺体を運ぶ対象となる遺体載置用ラック（ここでは遺体載置用ラック２０Ｂとする）の隣に、作業スペースＳＰが確保されるように、各遺体載置用ラック２０Ａ〜２０Ｆを移動させる。次に、その作業スペースＳＰ内に移動架台５０を運び入れて、遺体載置用ラック２０Ｂの隣に横付けする。この際、移動架台５０の車輪５４が、軌道部４１Ａを越えて通過することになるが、上述のように、レール部材４３の上面と床部１６の上層部１６ｂの上面とが同じ高さとなるように構成されているので軌道部４１Ａにおける段差は小さい。このため、移動架台５０は、大きな衝撃を受けること無く、スムーズに軌道部４１Ａを越えることができる。次いで、遺体載置用ラック２０Ｂの各棚部２３Ａ〜２３Ｃのうち、遺体を出し入れする棚部（ここでは棚部２３Ｂとする）の高さと、移動架台５０の昇降部５２の高さとが揃うように、昇降部５２の高さを調整するとともに、遺体載置用ラック２０Ｂ側にある、昇降部５２の柵部材５８を取り外し、その状態で、棚部２３Ｂと昇降部５２との間での遺体の受け渡し作業を、ローラ部材３０，５７の回転を利用して行う。
【００４０】
次に、複数遺体保存装置１が備える他の構成要素について説明する。図２に示すように遺体収納庫１０内の前壁部１１には、２個の冷却ユニット７０が設置されている。この冷却ユニット７０は、庫内温度制御手段を構成するものであり、前面側に送風口及び吸気口
（いずれも図示略）を備えた箱状の筐体部７１と、その内部に装備された、冷却器（エバポレータ）やブロアファン、コントローラ等（いずれも図示略）とを備えて構成される。遺体収納庫１０内には、庫内空間の温度（以下「庫内温度」と称する）を検出するための温度センサ（図示略）が適宜の位置に設けられている。冷却ユニット７０は、指定された設定温度と温度センサにより検出された庫内温度との差に基づき、庫内空間に送り込む冷気の温度や冷気の量を調整しながら、庫内空間内に冷気を循環させることにより、庫内温度が、指定された設定温度となるように制御する。庫内空間の設定温度は、−５℃から０℃の範囲内の所定の温度（例えば、−５℃や−４℃（適宜変更可））に指定される。
【００４１】
冷却ユニット７０は、建物の外部等に設置される室外用放熱ユニット（排気口が形成された筐体内に、コンプレッサ、コンデンサ、コンデンサファン等を備えて構成される。いずれも図示略）と、冷媒を循環させるための冷媒管及び庫内空間の空気を排気するための通気管を介して接続されている。これらの冷媒管及び通気管は、遺体収納庫１０内の冷却ユニット７０内から、天井部１５等を貫通して庫外へと引き出され、室外用放熱ユニットまで延びている（図示略）。
【００４２】
図２に示すように遺体収納庫１０内には、静電気放出手段８１が、左側壁部１２に４個、後壁部１３に１０個（各段の棚部に対応させるため、図３に示すように上下２段に配置することが好ましい）、右側壁部１４に４個、それぞれ設置されている（設置数や設置位置は適宜変更可）。また、図２に示すように遺体収納庫１０外には、天井部１５の前側辺縁部に６個の電場制御装置８２が並んで設置されている（設置数や設置位置は適宜変更可）。静電気放出手段８１及び電場制御装置８２は、特許第５６８３０３２号公報に記載された空間電位発生装置と同様の構成の空間電位発生手段を構成する。すなわち、電場制御装置８２は、一次コイルと二次コイルとを磁気的に結合してなるトランスと、二次コイルにおける電圧を調整するために二次コイルの一方の端子を一次コイルの端子に戻すフィードバック制御回路と、二次コイルの出力に低周波振動を加えるために二次コイルの他方の端子に設けられた出力制御手段（いずれも図示略）とにより構成される。静電気放出手段８１は、電場制御装置８２の二次コイルの他方の端子に電気的に接続された、導電性材料からなる板面（図示略）を有し、電場制御装置８２の作動によってその板面から静電気を放出して、対向する庫内空間（例えば、静電気放出手段８１を中心とした半径略３メートルの範囲内の空間）に電場を形成するように構成されている。１個の電場制御装置８２が３個の静電気放出手段８１を制御するようになっており、遺体収納庫１０内には、電場制御装置８２と静電気放出手段８１とを電気的に接続するための電線（図示略）が配置される。
【００４３】
また、図２に示すように遺体収納庫１０内には、除菌・脱臭手段８５が、前壁部１１に３個設置されている（設置数や設置位置は適宜変更可）。この除菌・脱臭手段８５は、庫内空間にオゾンを放出して、庫内空間における細菌の除菌（殺菌）および臭気の脱臭を行うように構成されている。特に、細菌による遺体の腐敗防止、死臭の原因となるガダベリン、プトレシン、酪酸、アンモニア、メチルメルカブタン等の脱臭に優れた効果を発揮する。
【００４４】
以上のように構成された複数遺体保存装置１によれば、遺体収納庫１０により画成された、外部環境から断熱された庫内空間に、複数の遺体が、棺ＣＫに入れられた状態または遺体載置トレイＴＲに載置された状態で、遺体載置用ラック２０Ａ〜２０Ｆに収納される。また、その状態で庫内空間に冷気を循環させて庫内空間の温度を−５℃から０℃の範囲内の設定温度に制御するとともに、静電気放出手段８１から庫内空間に静電気を放出して庫内空間に電場を形成するので、複数の遺体をマイナスの温度環境下で冷却しながらも非凍結状態（氷点下非凍結状態）で良好に保存することができる。
【００４５】
さらに、この複数遺体保存装置１によれば、庫内空間において細菌および臭気を減少させる除菌・脱臭手段８５を備えているので、庫内空間における細菌および臭気の増加を抑えることが可能となり、これにより、遺体の腐敗進行を抑制できるとともに、庫内空間を良好な環境に維持することも可能となる。また、医療用の殺菌灯３２を備えているので、赤痢菌等の有害な細菌の増殖も抑えることが可能となる。
【００４６】
さらに、この複数遺体保存装置１によれば、遺体収納庫１０内において、複数の遺体載置用ラック２０Ａ〜２０Ｆが、並列状態で一列に並んで２本の軌道部４１Ａ，４１Ｂ上に設置されており、それぞれが独立して、軌道部４１Ａ，４１Ｂ上を、遺体収納庫１０の長手方向に沿って移動可能に構成されている。そして、各遺体載置用ラック２０Ａ〜２０Ｆの軌道部４１Ａ，４１Ｂ上での位置（間隔）を適宜変えることにより、任意の遺体載置用ラックの隣に、作業スペースＳＰを確保できるように構成されている。そのため、遺体を運ぶ対象となる遺体載置用ラックの隣にスペースＳＰを確保し、そこに作業移動架台５０を横付けすることにより、遺体載置用ラックに対する遺体の出し入れ作業を容易に行うことが可能となる。
【００４７】
以上、本発明の実施形態について説明したが、本発明の範囲は上述の実施形態に限定されるものではない。例えば、上述の実施形態では、遺体収納庫内に６個の遺体載置用ラックが設置されているが、遺体載置用ラックの設置数は、５個以下あるいは７個以上に適宜変更することが可能であり、その設置数に応じて、遺体収納庫の大きさ（床面積や容積）、静電気放出手段や除菌・脱臭手段の設置数、遺体搬入・搬出用の開口部の数を適宜変更することが可能である。
【００４８】
上述の実施形態では、１個の遺体載置用ラックが遺体載置用の棚部を３段備えた構成となっているが、遺体載置用ラックの棚部は、１段または２段とすることもできるし、４段以上とすることも可能である。また、棚部の段数を、状況に応じて容易に変更できるように構成してもよい。さらに、遺体載置用ラックは、遺体収納庫内の所定位置に固定的に設置される構成としてもよい。上述の実施形態では、遺体載置用ラックに対して遺体を出し入れ際には、遺体載置用ラックの短手方向に遺体を移動させて行われるように構成されているが、遺体載置用ラックの長手方向に遺体を移動させて、遺体の出し入れを行うように構成することも可能である。また、遺体収納庫に、内部の様子を見るための窓部を設けてもよい。
【００４９】
また、遺体収納庫内に収納される遺体の出入庫の管理を、コンピュータを用いて行うようにしてもよい。例えば、遺体収納庫内に遺体が収納される際に、遺体の足首等に、ＰＯＳシステムで用いられるバーコード（遺体の氏名等の情報が記録される）が付された識別テープを取り付ける。また、遺体が収納される遺体載置用ラックの棚部（例えば上記プレート部材）にも、遺体に取付けたものと同じバーコードが付された識別テープを貼り付ける。そして、両方のバーコードをバーコードリーダーで読み取り、両者が一致することを確認した上で、遺体の出し入れを行うようにする。こうすることにより、遺体を取り違えたり、面会等のために一時的に搬出した遺体を別の棚部に戻したりするミスを防止することができる。また、各遺体載置用ラックの各棚部の状況、例えば、遺体が収納されているのか空いているのか、収納されている場合はどの遺体なのか、空いている場合は一時的に遺体が搬出されたものなのかどうかについても、一括管理することが可能となる。
【符号の説明】
【００５０】
１    複数遺体保存装置
１０    遺体収納庫
２０Ａ〜２０Ｆ    遺体載置用ラック
２３Ａ〜２３Ｃ  棚部
３０，５７    ローラ部材
３２    殺菌灯
４１Ａ，４１Ｂ    軌道部
５０    移動架台
５１    基部
５２    昇降部
７０    冷却ユニット
８１    静電気放出手段
８２    電場制御装置
８５    除菌・脱臭手段
１１１，１１２    開口部
１１３，１１４    扉
１１５，１１６    スロープ部
ＣＫ    棺
ＴＲ    遺体載置トレイ
ＳＰ    作業スペース
【図１】
2019024874.tif 000003
【図２】
2019024874.tif 000004
【図３】
2019024874.tif 000005
【図４】
2019024874.tif 000006
【図５】
2019024874.tif 000007
【図６】
2019024874.tif 000008
【図７】
2019024874.tif 000009
【図８】
2019024874.tif 000010